(57)【要約】【課題】窓としての自然さを演出することで違和感を解消し、リアリティのある擬似窓を提供することを目的としている。【解決手段】風景映像を表示する映像表示装置４を室内空間の壁部に設けて窓のように見せる擬似窓１において、映像表示装置４の周りのペリメータ部分に光を照射する照明装置６と、映像表示装置４の風景映像の輝度を検知する輝度検知手段７と、輝度検知手段７により検知された輝度値に応じて照明装置６を制御し、風景映像に調和するようにペリメータ部分の照度を調整する照度調整手段８とが備えられている。【選択図】図２
2008202283.tif 000002
【特許請求の範囲】
【請求項１】
風景映像を表示する映像表示装置を室内空間の壁部に設けて窓のように見せる擬似窓において、
前記映像表示装置の周りのペリメータ部分に光を照射する照明装置と、
前記映像表示装置の風景映像の輝度を検知する輝度検知手段と、
該輝度検知手段により検知された輝度値に応じて前記照明装置を制御し、前記風景映像に調和するように前記ペリメータ部分の照度を調整する照度調整手段と
が備えられていることを特徴とする擬似窓。
【請求項２】
請求項１記載の擬似窓において、
時刻に応じて前記照明装置を制御し、前記時刻における日差しの色温度に合わせて前記照明装置の光源の色温度を調整する色温度調整手段が備えられていることを特徴とする擬似窓。
【請求項３】
請求項１または２のいずれか一項に記載の擬似窓において、
前記輝度検知手段は、前記映像表示装置へ送られる映像信号に含まれる輝度情報から風景映像の輝度を検知する手段であることを特徴とする擬似窓。
【請求項４】
請求項１または２のいずれか一項に記載の擬似窓において、
前記輝度検知手段は、前記映像表示装置の表示部、または前記映像表示装置と同じ風景映像を表示する輝度検知用表示装置の表示部の少なくとも一方に設けられた輝度センサを用いて風景映像の輝度を検知する手段であることを特徴とする擬似窓。
【発明の詳細な説明】
【技術分野】
【０００１】
本発明は、窓が在るかのように見せることができる擬似窓に関する。
【背景技術】
【０００２】
地下空間に設けられたオフィスや原子力発電所の制御室などでは、窓を設けることができない。そこで、従来より、上記したような無窓空間の壁面に擬似窓を設ける技術が提案されている。擬似窓は、窓を擬似したものであり、壁面に取り付けられた窓枠の枠内に、風景映像を映し出す大型ディスプレイ（映像表示装置）や風景写真を嵌め込んだ構成からなるものである。この擬似窓によれば、大型ディスプレイ等に映し出された風景が、まるで窓から眺める風景のように見えるため、無窓空間における閉塞感や圧迫感を解消することができる（例えば、特許文献１参照。）。
【特許文献１】特開平９−２０５６０２号公報
【発明の開示】
【発明が解決しようとする課題】
【０００３】
しかしながら、上記した従来の擬似窓では、大型ディスプレイに映し出された映像が明るい風景であるのにもかかわらず、擬似窓周辺のペリメータ部分が暗いため、違和感が生じる場合がある。これは、本物の窓であれば、窓の外が明るい時には外から光が射し込んでペリメータ部分も明るくなるはずだからである。
【０００４】
本発明は、上記した従来の問題が考慮されたものであり、窓としての自然さを演出することで違和感を解消し、リアリティのある擬似窓を提供することを目的としている。
【課題を解決するための手段】
【０００５】
本発明に係る擬似窓は、風景映像を表示する映像表示装置を室内空間の壁部に設けて窓のように見せる擬似窓において、前記映像表示装置の周りのペリメータ部分に光を照射する照明装置と、前記映像表示装置の風景映像の輝度を検知する輝度検知手段と、該輝度検知手段により検知された輝度値に応じて前記照明装置を制御し、前記風景映像に調和するように前記ペリメータ部分の照度を調整する照度調整手段とが備えられていることを特徴としている。
【０００６】
このような特徴により、輝度検知手段によって映像表示装置の風景映像の輝度を検知する。晴れた昼間の風景等のような明るい映像が表示されている場合には輝度値が高くなる。反対に、夜景等のような暗い映像が表示されている場合には輝度値は低くなる。そして、照度調整手段によって輝度値に応じて照明装置を制御してペリメータ部分の照度を調整する。明るい映像が表示されていて輝度値が高い場合には、ペリメータ部分の照度が高くなるように照明が照らされる。反対に、暗い映像が表示されていて輝度値が低い場合には、ペリメータ部分の照度が低くなるように照明が落とされる。
【０００７】
また、本発明に係る擬似窓は、時刻に応じて前記照明装置を制御し、前記時刻における日差しの色温度に合わせて前記照明装置の光源の色温度を調整する色温度調整手段が備えられていることが好ましい。
【０００８】
これにより、時刻に応じて照明装置の光源の色温度が調整される。太陽高度が低い朝方および夕方では、日差しの色温度が低いため、照明装置の光源の色温度も低くなるように調整され、黄赤色の光がペリメータ部分に照射される。一方、太陽高度が高い正午では、日差しの色温度が高いため、照明装置の光源の色温度も高くなるように調整され、青白色の光がペリメータ部分に照射される。
【０００９】
また、本発明に係る擬似窓は、前記輝度検知手段が、前記映像表示装置へ送られる映像信号に含まれる輝度情報から風景映像の輝度を検知する手段であることが好ましい。
【００１０】
これにより、映像信号に含まれる輝度情報を読み出して所定の演算処理を行うだけで風景映像の輝度が検知される。
【００１１】
また、本発明に係る擬似窓は、前記輝度検知手段が、前記映像表示装置の表示部、または前記映像表示装置と同じ風景映像を表示する輝度検知用表示装置の表示部の少なくとも一方に設けられた輝度センサを用いて風景映像の輝度を検知する手段であってもよい。
【００１２】
これにより、輝度センサで輝度を測定するだけで風景映像の輝度が検知される。
【発明の効果】
【００１３】
本発明に係る擬似窓によれば、映像表示装置に表示された風景映像の明るさに応じてペリメータ部分の照度が調整されるため、窓としての自然さが演出され、違和感を解消することができる。このように、リアリティのある擬似窓にすることで、擬似窓としての効果、つまり、閉塞感や圧迫感を解消させるという効果が大きなり、室内空間の快適性を一層向上させることができる。
【発明を実施するための最良の形態】
【００１４】
以下、本発明に係る擬似窓の第１、第２、第３の実施の形態について、図面に基いて説明する。
【００１５】
［第１の実施の形態］
まず、第１の実施の形態における擬似窓１について説明する。図１は擬似窓１を表す斜視図であり、図２は擬似窓１を表す模式図である。
【００１６】
図１、図２に示すように、擬似窓１は、外の風景が見える窓を擬似したものであり、その概略構成は、壁部２の開口部３内に嵌め込まれた状態で設置された大型のディスプレイ４と、ディスプレイ４の前方（室内側）にあるペリカウンタ５（窓下部分）の上面を照明する照明装置６と、ディスプレイ４に映し出された風景映像の輝度を検知する輝度検知装置７と、照明装置６を制御する照明制御装置８と、からなる。
【００１７】
ディスプレイ４は、プラズマディスプレイや液晶ディスプレイ等の公知の映像表示装置であり、図示せぬカメラで撮影されているリアルタイム映像や録画映像等の映像信号を受けて風景映像を表示する装置である。このディスプレイ４は、壁部２の室内側の壁面よりも奥に配置されており、ディスプレイ４の表示面（室内側の面）は、開口部３の内周面に囲まれた状態になっている。また、ディスプレイ４の外縁部には、ディスプレイ４を窓のように見せるための窓枠９が取り付けられており、窓枠９の中にディスプレイ４の画面４ａ（表示部）が嵌め込まれた状態となっている。
【００１８】
輝度検知装置７は、ディスプレイ４へ送る映像信号に含まれる輝度情報からディスプレイ４に映し出された風景映像の輝度を検知する装置である。この輝度検知装置７には、ディスプレイ４へ映像信号を送る映像ソース１０から映像信号が入力される。輝度検知装置７では、映像ソース１０から送られた映像信号の中の輝度情報を基にその時刻の画面全体の平均輝度値を算出する。算出された平均輝度値は、輝度検知装置７から出力されて照明制御装置８へ入力される。上記した平均輝度値は、晴れた昼間の風景等のような明るい映像がディスプレイ４に映し出されている場合には高くなる。反対に、夜景等のような暗い映像がディスプレイ４に映し出されている場合には低くなる。
【００１９】
上記した平均輝度値の求め方について具体的に説明する。
図３は時刻ｘに対する風景映像の輝度Ｉの変化を表したグラフである。図３に示すｆ（ｘ）は時刻ｘにおける輝度信号である。図３に示すように、映像信号において輝度情報は走査線分の情報を時系列で持っているため、ディスプレイ４の画面４ａを１回走査する時間以上の時間（ｂ−ａ）で平均し、画面４ａ全体の平均輝度値を求める。例えば、ディスプレイ４に表示される時刻ｂの平均輝度値をＩ（ｂ）とすると、平均輝度値Ｉ（ｂ）は次式で表される。
【００２０】
【数１】
2008202283.tif 000003
【００２１】
照明制御装置８は、輝度検知装置７から送られた平均輝度値を基に照度調節用の出力値を演算して出力する装置である。照明制御装置８により算出される出力値は、基本的に、平均輝度値が高いほど高くなり、平均輝度値が低いほど低くなる。照明制御装置８から出力された出力値は、照明装置６に入力される。
【００２２】
照明装置６は、開口部３の上面３ａに設置された指向性を有するダウンライト式の照明装置である。この照明装置６によって、開口部３の上面３ａから下方に向けて光が照射されてペリカウンタ５の上面が照明される。照明装置６の光源６ａとしては、白熱灯や蛍光灯等の公知の光源を用いることができる。
【００２３】
また、照明装置６は、光源６ａの明るさを調整することが可能な調光式照明装置であり、照明制御装置８から送られた照度調節用の出力値を受けて光源６ａの明るさが調整される。仮に、光源６ａが白熱灯の場合、出力値を基に光源６ａのフィラメントに流す電流を変化させて光源６ａの明るさを調整する。また、光源６ａが蛍光灯の場合、出力値を基に電圧を変化させて光源６ａの明るさを調整する。なお、照明装置６は、複数の段階に調光される段階調光式の照明装置であってもよく、或いは、連続的に調光される無段階調光式の照明装置であってもよい。
【００２４】
上記したように光源６ａの明るさが調整されることで、ディスプレイ４に映し出された風景映像に調和するようにペリカウンタ５の照度が調整される。例えば、ディスプレイ４に明るい映像が表示されている場合には、平均輝度値が高く、照度調節用の出力値も高くなり、照明装置６の光源６ａの明るさが上げられる。これにより、ペリカウンタ５の照度が高くなる。一方、ディスプレイ４に暗い映像が表示されている場合には、平均輝度値が低く、照度調節用の出力値も低くなり、照明装置６の光源６ａの明るさが落とされる。これにより、ペリカウンタ５の照度が低くなる。
【００２５】
上記した構成からなる擬似窓１によれば、ディスプレイ４に表示された風景映像の明るさに応じてペリカウンタ５の照度が調整されるため、窓としての自然さが演出され、違和感を解消することができる。このように、リアリティのある擬似窓１にすることで、閉塞感や圧迫感を解消するという効果が大きなり、擬似窓１が設置された室内空間の快適性を一層向上させることができる。
【００２６】
また、上記した構成からなる擬似窓１によれば、ディスプレイ４へ送られる映像信号に含まれる輝度情報から風景映像の輝度を検知する輝度検知装置７が備えられているため、ディスプレイ４に表示された風景映像の輝度を簡単に検知することができる。
【００２７】
［第２の実施の形態］
次に、第２の実施の形態に係る擬似窓１０１について説明する。図４は擬似窓１０１を表す模式図である。なお、上述した第１の実施の形態と同様の構成については同一の符号を付してその説明を省略する。
【００２８】
図４に示すように、擬似窓１０１に備えられた輝度検知装置１０７は、ディスプレイ４の画面４ａ（表示部）に設けられた輝度センサ１１７を用いて、ディスプレイ４に映し出された風景映像の輝度を検知する装置である。輝度センサ１１７としては、公知の輝度センサを用いることができる。この輝度センサ１１７により輝度センサ１１７の設置位置での輝度を測定し、ディスプレイ４の画面４ａ上の代表的な輝度値を得る。輝度センサ１１７によって得られた輝度値は照明制御装置８に入力される。
【００２９】
なお、上記した輝度センサ１１７は、ディスプレイ４の画面４ａの任意の位置に設置することが可能であるが、目立たないように画面４ａの端部に配置することが好ましい。
また、輝度センサ１１７は、画面４ａの範囲内のうち、風景の明るさを表す位置に配置することが好ましい。風景の明るさを表す位置とは、例えば空等を表示した位置である。
風景映像の場合、画面４ａの上部の範囲が風景の明るさを表す部分となる場合が多いため、画面４ａの上部の範囲に輝度センサ１１７が配置されることが好ましい。反対に、画面４ａの下部の範囲は、地面や草木等が表示され、風景の明るさよりも暗くなっている場合が多い。このため、仮に、輝度センサ１１７が画面４ａの下部の範囲に配置されていると、実際に映し出されている映像が晴れの風景であっても輝度センサ１１７により検知した輝度値が低くなる場合があり、この場合、ペリカウンタ５の照度が暗くなり、風景映像の明るさに対して違和感が生じる。
【００３０】
上記した構成からなる擬似窓１０１によれば、ディスプレイ４の画面４ａに設けられた輝度センサ１１７を用いて、ディスプレイ４の画面４ａに映し出された風景映像の輝度を検知する輝度検知装置１０７が備えられているため、輝度センサ１１７で測定するだけで簡単に風景映像の輝度を検知することができる。また、輝度センサ１１７を任意の位置に設置することができるので、測定に最適な位置で輝度の検知を行うことができ、風景の明るさを正確に検知することができる。
【００３１】
なお、上記した第２の実施の形態では、輝度センサ１１７がディスプレイ４の画面４ａ上に１つだけ設置されているが、本発明は、ディスプレイ４の画面４ａ上に複数の輝度センサ１１７を設置してもよい。複数の輝度センサ１１７を設置した場合、複数の輝度センサ１１７によってそれぞれ測定された複数の輝度値の平均値を算出して出力してもよく、或いは、複数の輝度センサ１１７によってそれぞれ測定された複数の輝度値のうちの１つを出力してもよく、或いは、それ以外の演算等を行って輝度値を出力してもよい。
【００３２】
また、上記した第２の実施の形態では、輝度センサ１１７がディスプレイ４の画面４ａ上に設けられているが、本発明は、図５に示すように、擬似用のディスプレイ４とは別の輝度検知用のディスプレイ１０４が備えられ、この輝度検知用のディスプレイ１０４の画面１０４ａ上に輝度センサ１１７を設けてもよい。具体的に説明すると、擬似用のディスプレイ４に映像信号を送る映像ソース１０と輝度検知用のディスプレイ１０４とを接続して、映像ソース１０から輝度検知用のディスプレイ１０４へ擬似用のディスプレイ４と同じ映像信号を送信する。これにより、輝度検知用のディスプレイ１０４の画面１０４ａには、擬似用のディスプレイ４と同一の風景映像が表示される。そして、輝度検知用のディスプレイ１０４の画面１０４ａ上に設けられた輝度センサ１１７によって任意の位置で輝度を測定し、測定された輝度値を照明制御装置８に送る。このように、輝度検知用のディスプレイ１０４の画面１０４ａ上に輝度センサ１１７を設けることで、擬似用のディスプレイ４の画面４ａ上に輝度センサ１１７が設置しないで済む。また、輝度検知用のディスプレイ１０４であれば画面１０４ａの真中の位置に輝度センサ１１７を配置させても問題がないため、輝度センサ１１７の設置位置の選択の幅を広げることができる。なお、擬似用のディスプレイ４の画面４ａ上および輝度検知用のディスプレイ１０４の画面１０４ａ上にそれぞれ輝度センサ１１７を設けてもよい。
【００３３】
［第３の実施の形態］
次に、第３の実施の形態に係る擬似窓２０１について説明する。図６は擬似窓２０１を表す模式図である。なお、上述した第１の実施の形態と同様の構成については同一の符号を付してその説明を省略する。
【００３４】
図６に示すように、擬似窓２０１に備えられた照明制御装置２０８は、輝度検知装置７から送られた平均輝度値を基に照度調整用の出力値を演算して出力し、且つ、時刻に応じた色温度調整用の出力値を出力する装置である。照明制御装置２０８から出力される色温度調整用の出力値は、基本的に、太陽高度が低い朝方（日の出）および夕方（日の入り）の時間帯が低くなり、太陽高度が高い昼間の時間帯が高くなる。照明制御装置２０８から出力された照度調整用の出力値および色温度調整用の出力値は、照明装置２０６にそれぞれ入力される。
【００３５】
照明装置２０６は、光源２０６ａの明るさ及び色温度をそれぞれ調整することが可能な調光−色温度可変式の照明装置である。照明装置２０６の光源２０６ａの明るさは、第１の実施の形態の照明装置６と同様に、照明制御装置２０８から送られた照度調節用の出力値を受けて調整される。また、照明装置２０６の光源２０６ａの色温度は、時刻に応じて調整される。光源２０６ａの色温度調整は、例えば色温度変換フィルターを用いて行うことが可能であり、複数の段階に可変される段階式の色温度調整であってもよく、或いは、連続的に可変される無段階式の色温度調整であってもよい。
【００３６】
ここで、光源２０６ａの色温度の調整について詳しく説明する。
図７は時系列の色温度制御模式図であり、時刻に対する光源２０６ａの色温度を表したグラフである。
図７に示すように、光源２０６ａの色温度は時刻に応じて可変され、その時刻における日差しの色温度に合わせて調整される。具体的に説明すると、日の出時刻（Ｔｒ）では、光源２０６ａの色温度を日の出日の入り時の日射色温度（Ｋ１）とする。日の出時刻（Ｔｒ）から太陽高度がある一定のところまで達するまでの時間を変化時間（ｃ）とすると、日の出（Ｔｒ）から太陽高度がある一定のところまで達する時刻（Ｔｒ＋ｃ）までは光源２０６ａの色温度を徐々に高くしていき、太陽高度がある一定のところまで達する時刻（Ｔｒ＋ｃ）では光源２０６ａの色温度を日中の最大色温度（Ｋ２）にする。その後、太陽高度がある一定以上の時間帯においては、光源２０６ａの色温度を最大色温度（Ｋ２）で一定にする。最大色温度（Ｋ２）は、例えば６０００Ｋ程度である。そして、太陽高度がある一定以下に下がり始める時刻（Ｔｓ−ｃ）から日の入り時刻（Ｔｓ）までは徐々に色温度（Ｋ）を低くしていき、日の入り時刻（Ｔｓ）では光源２０６ａの色温度を日の出日の入り時の日射色温度（Ｋ１）とする。
【００３７】
日の出時刻（Ｔｒ）から太陽高度がある一定のところまで達する時刻（Ｔｒ＋ｃ）までの間の光源２０６ａの色温度Ｙは、次式で表される。
【００３８】
【数２】
2008202283.tif 000004
【００３９】
また、太陽高度がある一定のところまで達した時刻（Ｔｒ＋ｃ）から太陽高度がある一定以下に下がり始める時刻（Ｔｓ−ｃ）までの間の光源２０６ａの色温度Ｙは、次式で表される。
【００４０】
【数３】
2008202283.tif 000005
【００４１】
また、太陽高度がある一定以下に下がり始めた時刻（Ｔｓ−ｃ）から日の入り時刻（Ｔｓ）までの間の光源２０６ａの色温度Ｙは、次式で表される。
【００４２】
【数４】
2008202283.tif 000006
【００４３】
なお、上記した図７に示す色温度制御の例では、太陽高度がある一定以下に下がり始めた時刻から日の入り時刻（Ｔｓ）までの時間（以下、変化時間と記す。）を、日の出時刻（Ｔｒ）から太陽高度がある一定のところまで達するまでの時間と同じ変化時間（ｃ）としているが、両者の変化時間が異なっていてもよい。
また、上記した図７に示す色温度制御の例では、日の出日の入り時の日射色温度（Ｋ１）が同じ色温度になっているが、日の出時の日射色温度と日の入り時の日射色温度が異なっていてもよい。
【００４４】
上記した図７に示す光源２０６ａの色温度制御は一例であり、他の色温度制御であってもよい。
例えば、図８に示すように、光源２０６ａの色温度を一定にする時間帯がなくてもよい。
図８に示す色温度制御では、日の出時刻（Ｔｒ）から太陽高度が最も高くなる時刻（（Ｔｒ＋Ｔｓ）／２）までの間の光源２０６ａの色温度Ｙは、次式で表される。
【００４５】
【数５】
2008202283.tif 000007
【００４６】
また、太陽高度が最も高くなる時刻（（Ｔｒ＋Ｔｓ）／２）から日の入り時刻（Ｔｓ）までの間の光源２０６ａの色温度Ｙは、次式で表される。
【００４７】
【数６】
2008202283.tif 000008
【００４８】
また、光源２０６ａの色温度制御は、直線的に変化させるのではなく、図９に示すように、曲線的に変化させてもよい。
図９に示す色温度制御では、光源２０６ａの色温度Ｙは、次式で表される。
【００４９】
【数７】
2008202283.tif 000009
【００５０】
ただし、上の式のｄ、ｅ、ｆは下記の行列により導かれる。
【００５１】
【数８】
2008202283.tif 000010
【００５２】
上記した構成からなる擬似窓２０１によれば、時刻に応じて照明装置２０６が制御され、時刻における日差しの色温度に合わせて照明装置２０６の光源２０６ａの色温度が調整されるため、一日周期で変動する日差しの色温度が表現され、よりリアリティのある擬似窓２０１にすることができる。これにより、擬似窓２０１としての効果が大きなり、擬似窓２０１が設置された室内空間の快適性を一層向上させることができる。
【００５３】
なお、上記した第３の実施の形態では、第１の実施の形態と同様に、ディスプレイ４へ送る映像信号に含まれる輝度情報からディスプレイ４に映し出された風景映像の輝度を検知する輝度検知装置７が備えられているが、本発明は、第３の実施の形態における輝度検知装置７に代えて、第２の実施の形態に記載された輝度検知装置１０７を用いてもよい。すなわち、上述した第３の実施の形態の構成において、第２の実施の形態と同様に、輝度センサ１１７を用いてディスプレイ４に映し出された風景映像の輝度を検知することも可能である。
【００５４】
また、上記した第３の実施の形態では、時刻に応じて照明装置２０６が制御され、時刻における日差しの色温度に合わせて照明装置２０６の光源２０６ａの色温度が調整されているが、時刻だけでなく、対象地の緯度経度及び日付の両方または何れか一方に応じて照明装置２０６を制御し、対象地の緯度経度、日付及び時刻における日差しの色温度に合わせて照明装置２０６の光源２０６ａの色温度を調整してもよい。例えば、日の出時刻（Ｔｒ）および日の入り時刻（Ｔｓ）は、一年周期で変動するため、日付情報からこれらを呼び出して設定してもよい。また、日の出時刻（Ｔｒ）および日の入り時刻（Ｔｓ）は、対象地の場所によっても変動するため、対象地の緯度と経度によってこれらを補正してもよい。これにより、照明装置２０６の光源２０６ａの色温度を、実際の日差しの色温度にさらに近似させることができ、より一層リアリティのある擬似窓２０１を実現することができる。
【００５５】
以上、本発明に係る擬似窓の実施の形態について説明したが、本発明は上記した実施の形態に限定されるものではなく、その趣旨を逸脱しない範囲で適宜変更可能である。
例えば、上記した第１〜第３の実施の形態では、照明装置６、２０６が開口部３の上面３ａに設置されているが、本発明は、開口部３の上面３ａ以外の場所に照明装置が設置されていてもよく、開口部の側面や室内の天井等に照明装置を設置することが可能である。
【００５６】
また、上記した第１〜第３の実施の形態では、照明装置６、２０６によりペリカウンタ５の上面を照明しているが、本発明は、ペリカウンタ５以外のペリメータ部分を照明することも可能である。例えば、開口部３の側面に照明を当ててもよく、或いは、窓下の床面に照明を当ててもよい。
【００５７】
また、本発明は、擬似窓１、１０１、２０１の室内側にカーテンやブラインドを設置することも可能である。これにより、擬似窓１、１０１、２０１が更に窓らしく見え、擬似窓１、１０１、２０１としての効果がより一層向上させることができる。
また、本発明は、窓枠９に透明又は半透明のガラス板を嵌め込み、ディスプレイ４の手前（室内側）にガラス板を対向配置させることも可能である。これにより、擬似窓１、１０１、２０１が更に窓らしく見え、擬似窓１、１０１、２０１としての効果がより一層向上させることができる。
【００５８】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５９】
【図１】本発明に係る第１の実施の形態を説明するための擬似窓を表す斜視図である。
【図２】本発明に係る第１の実施の形態を説明するための擬似窓の構成を表す模式図である。
【図３】本発明に係る第１の実施の形態を説明するための時刻に対する風景映像の輝度の変化を表したグラフである。
【図４】本発明に係る第２の実施の形態を説明するための擬似窓の構成を表す模式図である。
【図５】本発明に係る他の実施の形態を説明するための擬似窓の構成を表す模式図である。
【図６】本発明に係る第３の実施の形態を説明するための擬似窓の構成を表す模式図である。
【図７】本発明に係る第３の実施の形態を説明するための時刻に対する光源の色温度制御の一例を表したグラフである。
【図８】本発明に係る第３の実施の形態を説明するための時刻に対する光源の色温度制御の他の例を表したグラフである。
【図９】本発明に係る第３の実施の形態を説明するための時刻に対する光源の色温度制御の他の例を表したグラフである。
【符号の説明】
【００６０】
１、１０１、２０１  擬似窓
２  壁部
４  ディスプレイ（映像表示装置）
４ａ  画面（表示部）
５  ペリカウンタ（ペリメータ部分）
６、２０６  照明装置
７、１０７  輝度検知装置（輝度検知手段）
８  照明制御装置（照度調整手段）
２０８  照明制御装置（照度調整手段、色温度調整手段）
１０４  輝度検知用のディスプレイ（輝度検知用表示装置）
１０４ａ  画面（表示部）
１１７  輝度センサ
【図１】
2008202283.tif 000011
【図２】
2008202283.tif 000012
【図３】
2008202283.tif 000013
【図４】
2008202283.tif 000014
【図５】
2008202283.tif 000015
【図６】
2008202283.tif 000016
【図７】
2008202283.tif 000017
【図８】
2008202283.tif 000018
【図９】
2008202283.tif 000019